(57)【要約】  【課題】  大小の清掃体を使い分けて、面積が異なる被清掃部を容易かつ確実に清掃することができ、大きい清掃体の使用中に小さい清掃体を別途管理する必要がなく、小さい清掃体の遺失を抑制することができる清掃具を提供する。  【解決手段】  不織布１１及びスポンジ１２を積層してなる清掃具本体１と、不織布２１、摘持部２２及びスポンジ２３を積層してなり、清掃具本体１の穴１ａに着脱可能に嵌合する清掃補助体２とを備え、清掃作業者は清掃補助体２の摘持部２２を摘持して、面積が小さい被清掃部を擦って清掃し、清掃補助体２が嵌合してある清掃具本体１を握持して、面積が大きい被清掃部を擦って清掃する。【選択図】      図２
2006122140.tif 000002
【特許請求の範囲】
【請求項１】
被清掃部を擦って清掃する清掃具において、
穴が形成してある清掃具本体と、前記穴に着脱可能に嵌合する清掃補助体とを備えることを特徴とする清掃具。
【請求項２】
前記清掃補助体は、硬質の摘持部と、該摘持部に接合された柔軟な清掃部とを備えることを特徴とする請求項１に記載の清掃具。
【請求項３】
前記清掃具本体は不織布及びスポンジを積層してなり、
前記清掃補助体は、不織布、前記摘持部、及びスポンジをこの順に積層してなることを特徴とする請求項２に記載の清掃具。
【請求項４】
前記穴は、前記清掃具本体の中央部を積層方向に貫通して形成してあり、
前記清掃補助体は、前記清掃具本体の厚さと略同一の厚さを有し、前記穴に積層方向に嵌合するようにしてあることを特徴とする請求項３に記載の清掃具。
【発明の詳細な説明】
【技術分野】
【０００１】
本発明は、壁面、床面等の被清掃部を擦って清掃する清掃具に関する。
【背景技術】
【０００２】
不織布及び／又はスポンジを用いてなるタワシ、織布を用いてなる雑巾等の清掃具は、浴室の床面、浴槽等の被清掃部を擦って清掃する際に使用される（特許文献１参照）。
【０００３】
例えば浴室内を清掃する場合、清掃作業者は、床面の中央部のように面積が大きい被清掃部と床面の四隅のように面積が小さい被清掃部とを、同一のタワシで清掃するか、大小２個のタワシを使い分けて清掃する。
【特許文献１】特開２０００−１５２８２１号公報
【発明の開示】
【発明が解決しようとする課題】
【０００４】
しかしながら、面積が異なる被清掃部を同一のタワシで清掃する場合、タワシが大きすぎて、面積が小さい被清掃部の汚れを清掃することが困難であるという問題があった。又は、タワシが小さすぎて、面積が大きい被清掃部を清掃するときに長時間を要するという問題があった。
【０００５】
一方、面積が異なる被清掃部を大小のタワシを使い分けて清掃する場合は、各被清掃部を適宜の大きさのタワシで清掃することができる。しかしながら、この場合は複数のタワシを予め準備しておく必要があり、また、例えば大きいタワシを右手で使用中に小さいタワシを左手で握持しておくか、被清掃部近傍に置いておく等、清掃作業中に複数のタワシを個別に管理しておく必要があるという問題があった。また、小さいタワシは大きいタワシに比べて遺失し易いという問題もあった。
【０００６】
本発明は斯かる問題を解決するためになされたものであり、清掃具本体の穴に、清掃補助体を着脱可能に嵌合してあることにより、大きさが異なる複数の清掃具を予め準備することなく、清掃具本体及び清掃補助体を使い分けて面積が異なる被清掃部を清掃することができ、清掃具本体の使用中に清掃補助体を別途管理する必要がなく、清掃補助体の遺失を抑制することができる清掃具を提供することを目的とする。
【０００７】
本発明の他の目的は、清掃補助体が清掃部と摘持部とを備えることにより、清掃補助体を用いる場合、硬質の摘持部を摘持して、柔軟な清掃部で被清掃部を清掃することができる清掃具を提供することにある。
【０００８】
本発明の他の目的は、不織布及びスポンジを積層してなる清掃具本体と、不織布、摘持部及びスポンジを積層してなる清掃補助体とを備えることにより、不織布とスポンジとを使い分けて被清掃部を清掃することができる清掃具を提供することにある。
【０００９】
本発明の更に他の目的は、積層方向に貫通する穴を形成してある清掃具本体と、清掃補助体とが略同じ厚さを有することにより、清掃具本体を使用する場合に清掃具本体の穴に嵌合している清掃補助体を同時に使用することができる清掃具を提供することにある。
【課題を解決するための手段】
【００１０】
第１発明に係る清掃具は、被清掃部を擦って清掃する清掃具において、穴が形成してある清掃具本体と、前記穴に着脱可能に嵌合する清掃補助体とを備えることを特徴とする。
【００１１】
第２発明に係る清掃具は、前記清掃補助体は、硬質の摘持部と、該摘持部に接合された柔軟な清掃部とを備えることを特徴とする。
【００１２】
第３発明に係る清掃具は、前記清掃具本体は不織布及びスポンジを積層してなり、前記清掃補助体は、不織布、前記摘持部、及びスポンジをこの順に積層してなることを特徴とする。
【００１３】
第４発明に係る清掃具は、前記穴は、前記清掃具本体の中央部を積層方向に貫通して形成してあり、前記清掃補助体は、前記清掃具本体の厚さと略同一の厚さを有し、前記穴に積層方向に嵌合するようにしてあることを特徴とする。
【００１４】
第１発明にあっては、清掃具本体及び清掃補助体は、織布、不織布、スポンジ等を用いてなるタワシ、雑巾等である。清掃具本体には穴が形成してあり、穴に対し清掃補助体が嵌合して清掃具本体と清掃補助体とが一体となり、穴から清掃補助体が離脱して清掃具本体と清掃補助体とが別体となる。清掃作業者は、一体となった清掃具本体及び清掃補助体を用いて、面積が大きい被清掃部を清掃する。また、清掃作業者は、清掃具本体から離脱した清掃補助体を用いて、面積が小さい被清掃部を清掃する。
【００１５】
第２発明にあっては、清掃補助体が、柔軟な清掃部と、硬質な摘持部とを接合してなる。清掃補助体は清掃部のみならず摘持に適した摘持部も備えるため、清掃作業者は清掃補助体を用いる場合に摘持部を摘持して清掃部で被清掃部を清掃する。
【００１６】
第３発明にあっては、清掃具本体及び清掃補助体が夫々不織布及びスポンジを用いてなる積層体である。清掃具本体及び清掃補助体夫々は、一面が不織布であり、他面がスポンジであるため、一面と他面との使い分けが可能である。また、清掃補助体は、不織布とスポンジとの間に層状の摘持部が介在している。つまり、摘持部の両面に、使い分け可能な清掃部が配置してある。また、硬質の摘持部によって、柔軟な不織布及びスポンジの不要な変形が抑制される。
【００１７】
第４発明にあっては、清掃具本体の穴として、清掃具本体の中央部に、積層している不織布及びスポンジを貫通する貫通孔が形成してある。清掃補助体は、清掃具本体の穴に、積層方向に着脱される。清掃補助体が清掃具本体の穴に嵌合している場合、清掃具本体及び清掃補助体の厚さが略等しいため、清掃具本体の穴から清掃補助体が突出することがなく、清掃補助体が嵌合している穴に凹みが残ることもない。つまり、清掃補助体は清掃具本体に形成してある貫通孔を略過不足なく埋め塞ぐ。このため、清掃具本体の穴の内面と清掃具本体の穴に嵌合している清掃補助体の周面との接触面積が増大し、穴の内面と清掃補助体の周面との摩擦力が増大する。また、清掃具本体の穴に嵌合している清掃補助体は、層方向の移動は阻止される。
【発明の効果】
【００１８】
第１発明の清掃具によれば、清掃作業者は、穴に清掃補助体が嵌合している清掃具本体を用いて、面積が大きい被清掃部を短時間で容易に清掃することができる。また、清掃具本体の使用中、清掃具の保管の際等に、清掃補助体を清掃具本体と一体化させて管理することができる。このため、清掃補助体の遺失を抑制することができる。
【００１９】
更に清掃作業者は、清掃具本体から離脱した清掃補助体を用いて、面積が小さい被清掃部を清掃することができる。このため、面積が小さい被清掃部を細かい凹凸まで容易に清掃することができる。以上のようにして、本発明の清掃具は、大きさが異なる清掃具を予め準備することなく、大小の清掃具本体及び清掃補助体を使い分けて面積が異なる被清掃部を隅々まで確実に清掃することができる。
【００２０】
第２発明の清掃具によれば、清掃補助体の摘持部が清掃部よりも硬質であるため、清掃作業者は清掃補助体を用いる場合に摘持部を摘持することができる。清掃補助体は清掃具本体よりも小さいため、柔軟な清掃部のみを備える清掃補助体は、清掃作業者が清掃補助体を摘持する場合に不必要に変形して把持が困難となり、このため、被清掃部の清掃が困難となる。一方、本発明の清掃補助体は清掃部のみならず摘持に適した摘持部も備える。この結果、清掃補助体の摘持が容易となって、柔軟な清掃部による被清掃部の清掃が容易となる。
【００２１】
第３発明の清掃具によれば、清掃具本体及び清掃補助体夫々の一面が不織布であり、他面がスポンジであるため、被清掃部の材質、汚れの度合い等に応じて不織布とスポンジとを使い分けて清掃することができる。この結果、清掃の際に、被清掃部の損傷の抑制、洗剤液の使用量の低減等が可能となる。
【００２２】
また、清掃補助体は、摘持部の両面に不織布及びスポンジがコンパクトに配置されるため、清掃補助体を小型化することができる。また、硬質の摘持部によって、柔軟な不織布及びスポンジの不要な変形が抑制されるため、清掃補助体の摘持が容易となって、被清掃部の清掃が更に容易となる。
【００２３】
第４発明の清掃具によれば、清掃具本体を貫通している穴を清掃補助体が略過不足なく埋め塞ぐため、清掃具本体を使用する場合に清掃具本体の穴に嵌合している清掃補助体を同時に使用することができる。また、清掃具本体を用いて清掃する場合に、清掃具本体の穴から突出した清掃補助体、又は清掃具本体の穴が、清掃を阻害することを防止できる。更に、清掃具本体の穴に嵌合している清掃補助体は、層方向の移動が阻止され、しかも、清掃具本体の穴の内面と清掃具本体の穴に嵌合している清掃補助体の周面との接触面積が増大し、穴の内面と清掃補助体の周面との摩擦力が増大する。この結果、清掃補助体が穴から脱離することを抑制することができる等、本発明は優れた効果を奏する。
【発明を実施するための最良の形態】
【００２４】
以下、本発明を、その実施の形態を示す図面に基づいて詳述する。
【００２５】
図１は、本発明に係る清掃具１００の外観を示す斜視図である。図２は、清掃具１００の構成を示す斜視図であり、清掃具１００の組み立て方法も示している。また、図３は、清掃具１００が備える清掃補助体２を清掃作業者が摘持した状態を示す斜視図である。
【００２６】
清掃具１００は、清掃作業者が片手で握持／摘持可能なサイズのタワシであり、清掃具本体１と清掃補助体２とを備える。清掃具本体１は、約１５０ｍｍ×約８０ｍｍ×約４０ｍｍの長さ、幅及び厚さを有する直方体状の積層体であり、清掃補助体２は、平面視が略菱形、側面視が矩形状の積層体であって、清掃具本体１の厚さＤ１と清掃補助体２の厚さＤ２とは略等しい。
【００２７】
清掃具本体１は、ポリエステル製の不織布１１及びウレタン製のスポンジ１２を積層してなる。不織布１１の一面には起毛部が形成してあり、清掃具本体１は、起毛部が形成されていない不織布１１の他面と、スポンジ１２の一面とを接着して接合してある。清掃具本体１の中央部には穴１ａが形成してある。穴１ａは、平面視が略菱形であり、清掃具本体１の中央部を積層方向に貫通している。また、清掃具本体１の短辺側端部近傍に、紐、チェーン等を挿通可能な孔１ｂが形成してある。
【００２８】
清掃補助体２は、ポリエステル製の不織布２１、発泡ポリエチレン層である摘持部２２、及びウレタン製のスポンジ２３をこの順に積層してなる。不織布２１の一面には起毛部が形成してあり、清掃補助体２は、起毛部が形成されていない不織布２１の他面と、摘持部２２の一面とを接着して接合してあり、更に、摘持部２２の他面とスポンジ２３の一面とを接着して接合してある。不織布２１及びスポンジ２３は柔軟な清掃部であり、摘持部２２は不織布２１及びスポンジ２３夫々に比べて硬質である。
【００２９】
清掃補助体２は、清掃具本体１の穴１ａに、積層方向（図２中の矢符方向）に着脱可能に嵌合する。このため、清掃具本体１と清掃補助体２とは、清掃補助体２が穴１ａへ積層方向に嵌め込まれて一体となり、清掃補助体２が穴１ａから積層方向に取り出されて別体となる。つまり、清掃具本体１と清掃補助体２とは入れ子的に設けられている。
【００３０】
不織布１１，２１及びスポンジ１２，２３の両方、特にスポンジ１２，２３は多孔質であるため洗剤液を多量に含むことができ、しかも泡立て易く、この結果、被清掃部の清掃に適している。
【００３１】
ただし、不織布１１，２１はスポンジ１２，２３よりも硬質であり、しかも起毛部が形成してあるため、被清掃部に対する摩擦力が大きい。この結果、不織布１１，２１はスポンジ１２，２３よりも被清掃部の汚れを落とし易く、汚損が激しい被清掃部の清掃に適しており、更に、汚損が少ない被清掃部に対しては、洗剤液の使用量を低減可能である。なお、不織布１１，２１を形成する繊維は、その長手方向に凸条部を有する異形断面繊維でも良く、この場合、不織布１１，２１の被清掃部に対する摩擦力が更に大きくなる。
【００３２】
一方、スポンジ１２，２３は、被清掃部に対する摩擦力が小さいため、不織布１１，２１に比べて被清掃部を傷つけにくく、また、傷がつきやすい被清掃部、汚損が少ない被清掃部等の清掃に適している。
【００３３】
以上のような清掃具１００を用いる清掃作業者は、例えば浴槽の壁面、底面等を清掃するとき、即ち面積が大きい被清掃部を清掃するときと、タイルの目地、蛇口周り等を清掃するとき、即ち面積が小さい被清掃部を清掃するときとで、清掃補助体２と一体化した清掃具本体１（大きいタワシ）と、清掃具本体１から離脱させた清掃補助体２単体（小さいタワシ）とを使い分けて、被清掃部を擦って清掃する。
【００３４】
面積が小さい被清掃部を清掃する場合、清掃作業者は、図３に示すように清掃補助体２の摘持部２２を摘持して、不織布２１又はスポンジ２３で被清掃部を擦って清掃する。面積が大きい被清掃部を清掃する場合、清掃作業者は、不織布１１，２１を同一方向に向けて清掃補助体２が嵌合してある清掃具本体１を握持して、不織布１１，２１又はスポンジ１２，２３で被清掃部を擦って清掃する。なお、不織布１１及びスポンジ２３を同一方向に向けて、清掃補助体２が清掃具本体１に嵌合してある構成でも良い。
【００３５】
以上のような清掃具１００は、面積が大きい被清掃部を短時間で容易に清掃することができる。また、面積が小さい被清掃部を細かい凹凸まで容易に清掃することができる。つまり、本発明の清掃具１００は、大きさが異なる清掃具を予め準備することなく、面積が異なる被清掃部を隅々まで確実に清掃することができる。更に、清掃具本体１の使用中、清掃具１００の保管の際等に、清掃補助体２を清掃具本体１と一体化させて管理することができる。このため、清掃補助体２の遺失を抑制することができる。
【００３６】
清掃補助体２で被清掃部を清掃する場合、清掃作業者は、例えば清掃補助体２を右手で使用中に清掃具本体１を左手で握持しておくか、清掃具本体１を被清掃部近傍に置いておく必要がある。ただし、清掃具本体１は清掃補助体２に比べて大きく、遺失し難い。
【００３７】
更にまた、スポンジ２３は柔軟で、しかも適宜の厚みを有する。このため、被清掃部の形状、汚れの度合い等に対応して自動的に変形することができ、また、清掃作業者が適宜変形させることができる。更に、清掃補助体２は略菱形の尖鋭な角部を有する。以上のことから、清掃補助体２は被清掃部の細かい凹凸、頑固な汚れ等をより確実に清掃することができる。更にまた、清掃補助体２は硬質な摘持部２２を備えるため、清掃作業者は清掃補助体２を用いる場合に摘持部２２を摘持することができ、この結果、清掃補助体２の摘持が容易となって、被清掃部の清掃が更に容易となる。
【００３８】
また、清掃補助体２が清掃具本体１の穴１ａに嵌合している場合、清掃具本体１に形成してある貫通孔を清掃補助体２が略過不足なく埋め塞ぐ。このため、清掃具本体１を使用する場合に清掃具本体１の穴１ａに嵌合している清掃補助体２を同時に使用することができる。しかも、清掃具本体１を用いて清掃する場合に、穴１ａから突出する清掃補助体２、又は穴１ａが清掃を阻害することがない。
【００３９】
更に、清掃具本体１の穴１ａに嵌合している清掃補助体２の層方向の移動は、清掃補助体２が穴１ａの内面に当接するため、阻止される。しかも、清掃補助体２の周面が穴１ａの内面と略完全に密着し、このため清掃補助体２の周面と穴１ａの内面との摩擦力が大きい。以上の結果、清掃補助体２が穴１ａから脱離することを抑制することができる。
【００４０】
更にまた、清掃具本体１及び清掃補助体２の一面が不織布１１，２１であり、他面がスポンジ１２，２３である。このため、被清掃部の材質、汚れの度合い等に応じて不織布１１，２１とスポンジ１２，２３とを使い分けて清掃することができる。この結果、清掃の際に、被清掃部の損傷の抑制、洗剤液の使用量の低減等が可能となる。
【００４１】
また、清掃補助体２は、摘持部２２の両面に不織布２１及びスポンジ２３がコンパクトに配置されるため、清掃補助体２を小型化することができる。
【００４２】
更に、清掃具１００は多孔質であるため、速乾性に優れている。更にまた、孔１ｂに紐、チェーン等を挿通させて吊り下げることができ、この場合、例えば風通しの良い物干し場に吊り下げることによって、清掃具１００の乾燥を更に早めることができる。
【００４３】
なお、本実施の形態においては、清掃具１００として、不織布及びスポンジを用いてなるタワシを例示したが、これに限るものではなく、例えば、スポンジのみを用いてなるタワシでも良い。また、清掃具本体１及び清掃補助体２の両方が不織布及びスポンジを用いてなるタワシである場合を例示したが、夫々を構成する材料、積層順、起毛部の有無、柔軟性の度合い等が異なっていても良い。更に、清掃補助体２が嵌合されていない清掃具本体１を用いて被清掃部を擦って清掃しても良い。この場合、例えば穴１ａ内部に棒状の被清掃部を通して被清掃部の外面を清掃する。
【図面の簡単な説明】
【００４４】
【図１】本発明に係る清掃具の外観を示す斜視図である。
【図２】本発明に係る清掃具の構成を示す斜視図である。
【図３】本発明に係る清掃具が備える清掃補助体を清掃作業者が摘持した状態を示す斜視図である。
【符号の説明】
【００４５】
１００  清掃具
１  清掃具本体
１ａ  穴
１１  不織布
１２  スポンジ
２  清掃補助体
２１  不織布（清掃部）
２２  摘持部
２３  スポンジ（清掃部）
【図１】
2006122140.tif 000003
【図２】
2006122140.tif 000004
【図３】
2006122140.tif 000005